(57)【要約】  バッテリ特性を遠隔決定するための実施形態が含まれる。いくつかの実施形態は、エネルギー貯蔵デバイスを識別する第１の無線信号を検索することと、第１の無線信号の受信に応答して、エネルギー貯蔵デバイスの現在の充電レベルを決定することとを含む。いくつかの実施形態は、エネルギー貯蔵デバイスから第２の無線信号を受信することと、第２の無線信号から、エネルギー貯蔵デバイスの現在の充電レベルが、所定の閾値に到達するかどうかを決定することと、エネルギー貯蔵デバイスの現在の充電レベルが所定の閾値に到達するという決定に応答して、コンピューティングデバイスによって、現在の充電レベルを示す警告を送信することとを含む。
2016532853.tif 000002
【特許請求の範囲】
【請求項１】
オンラインバッテリ活性を遠隔監視するためのコンピューティングデバイスであって、
プロセッサと、
論理を記憶するメモリコンポーネントであって、前記論理は、前記プロセッサによって遂行されるとき、前記コンピューティングデバイスに、少なくとも以下の、
バッテリから無線通信信号を検出することと、
前記無線通信信号から、前記バッテリのバッテリ特性を決定することと、
前記バッテリの前記バッテリ特性に関連するデータを含む第１のユーザインターフェースを提供することと、
を実行させる、前記メモリコンポーネントと、
を備えたことを特徴とするコンピューティングデバイス。
【請求項２】
前記論理は、さらに、前記コンピューティングデバイスに、以下の、前記バッテリのバッテリタイプ、前記バッテリの物理的位置、及び前記バッテリが現在給電しているデバイス、のうちの少なくとも１つを決定させることを特徴とする請求項１に記載のコンピューティングデバイス。
【請求項３】
前記論理は、さらに、前記コンピューティングデバイスに、前記バッテリが交換されるときの予想時刻を予測させることを特徴とする請求項１又は２に記載のコンピューティングデバイス。
【請求項４】
前記論理は、さらに、前記コンピューティングデバイスに、前記予想時刻が所定の時間フレーム内にあるかどうかを決定させ、及び前記予想時刻が前記所定の時間フレーム内にあるという決定に応答して、交換バッテリの購入を促進させることを特徴とする請求項３に記載のコンピューティングデバイス。
【請求項５】
前記論理は、さらに、前記予想時刻が所定の時間フレーム内にあるという決定に応答して、前記コンピューティングデバイスに、少なくとも以下の、
未使用のバッテリが利用可能であり、及び、所定の範囲内にあるかどうかを決定することと、
前記未使用のバッテリが利用可能であり、及び、前記所定の範囲内にあるという決定に応答して、前記未使用のバッテリが、前記バッテリが現在給電しているデバイスと互換性があるかどうかを決定することと、
前記未使用のバッテリが、前記バッテリが現在給電している前記デバイスと互換性があるという決定に応答して、前記未使用のバッテリの物理的位置を含む、第２のユーザインターフェースを提供することと、
を実行させることを特徴とする請求項４に記載のコンピューティングデバイス。
【請求項６】
前記論理は、さらに、前記コンピューティングデバイスに、前記バッテリの現在の消耗速度を決定させることを特徴とする請求項１ないし５のいずれか一項に記載のコンピューティングデバイス。
【請求項７】
前記論理は、さらに、前記コンピューティングデバイスに、前記バッテリの前記バッテリ特性に影響する外部条件を決定させ、及び前記外部条件を利用して、前記バッテリの前記現在の消耗速度を決定させることを特徴とする請求項６に記載のコンピューティングデバイス。
【発明の詳細な説明】
【技術分野】
【０００１】
本出願は、概して、バッテリ特性を遠隔決定するため、及び具体的には、無線通信を利用して、バッテリ又は他のエネルギー貯蔵デバイスの充電レベル及び／又は健全性を決定するためのシステム及び方法に関する。
【背景技術】
【０００２】
多くの電気デバイスは、より大きいレベルの可動性及び電力コードからの自由を提供するように、バッテリ電力に依存する。バッテリで動作するデバイスは、より所望されているが、しばしば、バッテリ充電は、使用中に消耗し得、それにより、デバイスの有効性を制限する。これは、バッテリ故障の予想外の性質及び交換バッテリの位置決定の不確実性により、不都合をもたらし得る。結果として、多くのバッテリで給電されたデバイスは、これらの及び他の制限により、これらの点において、より不都合となる。
【発明の概要】
【課題を解決するための手段】
【０００３】
バッテリ特性を遠隔決定するための実施形態が含まれる。いくつかの実施形態は、エネルギー貯蔵デバイスを識別する第１の無線信号を検索することと、第１の無線信号の受信に応答して、エネルギー貯蔵デバイスの現在の充電レベルを決定することとを含む。いくつかの実施形態は、エネルギー貯蔵デバイスから第２の無線信号を受信することと、第２の無線信号から、エネルギー貯蔵デバイスの現在の充電レベルが、所定の閾値に到達するかどうかを決定することと、エネルギー貯蔵デバイスの現在の充電レベルが所定の閾値に到達するという決定に応答して、コンピューティングデバイスによって、現在の充電レベルを示す警告を送信することとを含む。
【０００４】
コンピューティングデバイスの実施形態もまた、含まれる。コンピューティングデバイスのいくつかの実施形態は、プロセッサと、メモリコンポーネントとを含む。メモリコンポーネントは、プロセッサによって遂行されるとき、コンピューティングデバイスに、バッテリから無線通信信号を検出させ、無線通信信号から、バッテリのバッテリ特性を決定させ、及びバッテリのバッテリ特性に関連するデータを含む第１のユーザインターフェースを提供させる、論理を記憶することができる。
【０００５】
また、非一時的コンピュータ可読媒体の実施形態も含まれる。非一時的コンピュータ可読媒体のいくつかの実施形態は、コンピューティングデバイスによって遂行されるとき、コンピューティングデバイスに、未使用のエネルギー貯蔵デバイスが利用可能であり、所定の範囲内にあるかどうかを決定させる、論理を含む。未使用のエネルギー貯蔵デバイスが利用可能であり、所定の範囲内にあるという決定に応答して、論理は、コンピューティングデバイスに、未使用のエネルギー貯蔵デバイスが、エネルギー貯蔵デバイスが現在給電しているデバイスと互換性があるかどうかを決定させ、未使用のエネルギー貯蔵デバイスが、エネルギー貯蔵デバイスが現在給電しているデバイスと互換性があるという決定に応答して、エネルギー貯蔵デバイスの物理的位置を含む、第２のユーザインターフェースを提供させることができる。いくつかの実施形態において、利用可能であり、所定の範囲内にある未使用のエネルギー貯蔵デバイスがないという決定に応答して、論理は、コンピューティングデバイスに、交換エネルギー貯蔵デバイスのオンライン購入を促進させる。
【図面の簡単な説明】
【０００６】
前述の一般的な説明及び以下の詳細な説明は両方とも、種々の実施形態を説明し、特許請求される発明の主題の本質及び特徴を理解するための概観又は骨組を提供することが意図されることを理解されたい。添付の図面は、種々の実施形態のさらなる理解を提供するために含められたものであり、本明細書の一部に組み込まれると共に本明細書の一部をなすものである。図面は、本明細書に記述される種々の実施形態を例示し、説明とともに、特許請求される発明の主題の原理及び動作を説明する役割を果たす。
【図１】本明細書において開示される実施形態に従う、バッテリ特性を遠隔決定するためのコンピューティング環境を描写する。
【図２】本明細書において開示される実施形態に従う、バッテリ特性を遠隔決定するために利用され得るユーザコンピューティングデバイスを描写する。
【図３】本明細書においてで開示される実施形態に従う、バッテリ及び／又はデバイスを検索するためのユーザインターフェースを描写する。
【図４】本明細書において開示される実施形態に従う、位置決定されたバッテリのリストを提供するためのユーザインターフェースを描写する。
【図５】本明細書において開示される実施形態に従う、デバイスに給電するバッテリのバッテリレベルを提供するためのユーザインターフェースを描写する。
【図６】本明細書において開示される実施形態に従う、デバイスに給電する特定のバッテリに対するバッテリレベルを提供するためのユーザインターフェースを描写する。
【図７】本明細書において開示される実施形態に従う、バッテリ交換戦略を推奨するためのユーザインターフェースを描写する。
【図８】本明細書において開示される実施形態に従う、交換バッテリがデバイスの中に挿入されたことを識別するためのユーザインターフェースを描写する。
【図９】本明細書において開示される実施形態に従う、位置決定されたバッテリで動作するデバイスのリストを提供するためのユーザインターフェースを描写する。
【図１０】本明細書において開示される実施形態に従う、監視するためのデバイスを追加するためのユーザインターフェースを描写する。
【図１１】バッテリ特性を遠隔決定するために利用され得るプロセスを例示するフローチャートを描写する。
【発明を実施するための形態】
【０００７】
本明細書で開示される実施形態は、バッテリ特性を遠隔決定するためのシステム及び方法を含む。具体的に、本明細書において開示される実施形態は、給電されたデバイス、バッテリ、及び／又は他のエネルギー貯蔵デバイス（本明細書において広く「バッテリ」と称される）から無線通信信号を無線で受信するために構成される、携帯電話、タブレットコンピュータ、近距離無線通信（ＮＦＣ）リーダなどのユーザコンピューティングデバイスを含む。ユーザコンピューティングデバイスは、テレビ、自動車など等のデバイス内に組み込まれ得る。バッテリは、無線周波数識別子（ＲＦＩＤ）タグ、ワイヤレスフィディリティ（Ｗｉ−Ｆｉ）伝送器、Ｂｌｕｅｔｏｏｔｈ伝送器、バーコード、及び／又はコンピューティングデバイスと通信するための他の無線通信器を含み得る。ユーザコンピューティングデバイスは、現在のインピーダンスレベル、現在の充電レベル、現在の消耗速度など等のバッテリの特性を監視するためのバッテリ（及び／又はバッテリが現在給電しているデバイス）とデータを交換することができる。
【０００８】
同様に、いくつかの実施形態は、ユーザコンピューティングデバイスが、バッテリによって給電される、給電されたデバイスと通信するように構成され得る。かかる実施形態において、次いで、給電されたデバイスは、バッテリと通信することができ、及び／又はバッテリの特性を決定するためのハードウェアを試験することを含むことができる。給電されたデバイスは、デバイスの使用頻度に関する情報、又は給電されたデバイスに関する他の情報を通信することができる。ユーザコンピューティングデバイスは、給電されたデバイスからユーザコンピューティングデバイスに通信される情報の結果として、ユーザに使用提唱を提供することができる。他の実施形態もまた、本開示の範囲内であり、以下で詳細に説明される。
【０００９】
ここで、図面を参照すると、図１は、本明細書において開示される実施形態に従う、バッテリ特性を遠隔決定するためのコンピューティング環境を描写する。図示されるように、ネットワーク１００は、ユーザコンピューティングデバイス１０２、リモートコンピューティングデバイス１０４、バッテリ１０６、及び／又は給電されたデバイス１０８に連結されてもよい。また示されるように、給電されたデバイス１０８は、異なるバッテリ１１０と連結されてもよい。ネットワーク１００は、インターネット、モバイル通信ネットワーク、衛星ネットワーク、公衆サービス電話ネットワーク（ＰＳＴＮ）、及び／又はデバイス間の通信を促進するための他のネットワーク等の任意のワイドエリア及び／又はローカルエリアネットワークを含んでもよい。ネットワーク１００がローカルエリアネットワークを含む場合、ローカルエリアネットワークは、Ｗｉ−Ｆｉ、Ｂｌｕｅｔｏｏｔｈ、ＲＦＩＤ、及び／又は他の無線プロトコルを介した通信経路として構成されてもよい。
【００１０】
したがって、ユーザコンピューティングデバイス１０２は、パーソナルコンピュータ、ラップトップコンピュータ、タブレット、モバイル通信デバイス、データベース、及び／又はユーザによってアクセス可能である他のコンピューティングデバイスを含んでもよい。ユーザコンピューティングデバイス１０２は、以下でより詳細に説明される、データ捕捉論理１４４ａ及びインターフェース論理１４４ｂを記憶する、メモリコンポーネント１４０をさらに含んでもよい。
【００１１】
リモートコンピューティングデバイス１０４もまた、ネットワーク１００に連結され、以下でより詳細に説明されるように、追加のバッテリを購入するためのオンライン小売業者として、バッテリ１０６に関するデータにアクセスするための情報サーバ、バッテリ使用及び有用寿命を監視するためのデータ収集サーバとしてなど、構成されてもよい。一例として、ユーザコンピューティングデバイス１０２は、バッテリが交換されるべき予想時刻を示す、使い捨てバッテリの充電レベル又は再充電可能なバッテリの健全性を認識することができる。以下でより詳細に説明されるように、ユーザコンピューティングデバイス１０２は、交換バッテリ（又は他の交換エネルギー貯蔵デバイス）を発注するように、リモートコンピューティングデバイス１０４と通信することができる。
【００１２】
同様に、バッテリ製造元は、新たなバッテリを設計するためにバッテリ寿命の使用及び使用法を監視してもよい。加えて、又は代替的に、バッテリ製造元は、例えば、リモートコンピューティングデバイス１０４を介して、バッテリの製造及び品質関連データを監視することができる。かかる実施形態において、リモートコンピューティングデバイス１０４は、かかるデータを収集及び分析するためのサーバとして機能することができる。いくつかの実施形態において、リモートコンピューティングデバイス１０４は、ネットワーク１００へのアクセスを有する任意のコンピューティングデバイスからバッテリ使用を監視するように、バッテリ購入者のためのユーザアカウントを提供することができる。
【００１３】
また、図１には、バッテリ１０６も描写される。バッテリ１０６は、化学バッテリ（アルカリ一次バッテリ、リチウム一次バッテリ、ニッケルー金属水素化物の再充電可能なバッテリ、リチウムイオンの再充電可能なバッテリなど等）、乾電池、湿電池、コンデンサ、及び／又は他のものなどの任意のエネルギー貯蔵デバイスの形態を採ることができる。エネルギー貯蔵デバイスのタイプにかかわらず、バッテリ１０６は、バッテリ特性（又は複数のバッテリ特性）を決定するための１つ以上のセンサとともに構成されてもよい。バッテリ特性は、現在の充電レベル；消耗速度；インピーダンス；開回路電圧（ＯＣＶ）；閉回路電圧；放電速度；放電／充電サイクル；サイクル寿命；一次又は二次等のバッテリタイプ；ＡＡＡ、ＡＡ、Ｃ、又はＤ等のバッテリサイズ；バッテリ寿命の終了；製造日、材料ロット番号、セル組み立てライン番号、活性材料重量、電解質重量、及び任意の他の製造関連情報等のバッテリ製造／品質関連データなどを含んでもよい。さらに、バッテリ１０６は、ユーザコンピューティングデバイス１０２及び／又はリモートコンピューティングデバイス１０４にデータを送信するためのＲＦＩＤタグ、Ｂｌｕｅｔｏｏｔｈ伝送器、Ｗｉ−Ｆｉ伝送器など等の無線伝送器を含んでもよい。無線伝送器は、製造中にバッテリとともに装着されてもよく、及び／又はバッテリが製造された後に適用されてもよい。データは、バッテリ特性、バッテリ識別子、給電されたデバイスの識別子、位置情報、物理的位置、及び／又は他の情報を含んでもよい。
【００１４】
バッテリ１０６は、給電されたデバイスに給電していないとして描写されるが、これは、例に過ぎない。以下でより詳細に述べられるように、ユーザコンピューティングデバイス１０２及び／又はリモートコンピューティングデバイス１０４は、未使用及び／又は部分的に使用されているデバイスに給電しているが、給電されたデバイスに現在給電していないバッテリと通信するように構成されてもよい。したがって、バッテリ１０６は、給電されたデバイスに現在給電していてもよいか、又はしていなくてもよい。同様に、バッテリ１０６は、バッテリ充電デバイスによって、現在充電されていてもよいか、又はされていなくてもよい。
【００１５】
さらに、図１には、ユーザコンピューティングデバイス１０２及び／又はリモートコンピューティングデバイス１０４と通信する、給電されたデバイス１０８が描写される。具体的に、本明細書において開示されるいくつかの実施形態は、ユーザコンピューティングデバイス１０２及び／又はリモートコンピューティングデバイス１０４に無線信号を送信するために構成されるバッテリ１０６を含んでもよいが、これは、一例に過ぎない。具体的に、バッテリ１１０は、給電されたデバイス１０８に給電してもよく、このため、給電されたデバイス１０８と電気的に連結されてもよい。したがって、給電されたデバイス１０８は、バッテリ１１０と情報を通信するように構成されてもよく、そのため、給電されたデバイス１０８がバッテリ特性及び／又は他のデータを受信することに応答して、給電されたデバイス１０８は、上で説明されるように、ユーザコンピューティングデバイス１０２及び／又はリモートコンピューティングデバイス１０４と通信することができる。かかる実施形態は、バッテリ１１０が無線伝送器を含まない状況に対応する。同様に、いくつかの実施形態は、給電されたデバイス１０８が、バッテリ特性を決定するための１つ以上のセンサ、及びバッテリ識別子を決定するための論理を含むように構成されてもよい。
【００１６】
ユーザコンピューティングデバイス１０２及びリモートコンピューティングデバイス１０４は、個々のデバイスとして各々描写されているが、これらは、例に過ぎないことを理解されたい。これらのデバイスのいずれかは、本明細書において説明される機能性を提供するために構成される、１つ以上のパーソナルコンピュータ、サーバ、ラップトップ、タブレット、モバイルコンピューティングデバイス、データ記憶デバイス、携帯電話などを含んでもよい。他のコンピューティングデバイスもまた、図１の実施形態に含まれてもよいことをさらに理解されたい。
【００１７】
同様に、単一のバッテリ１０６及び１１０、並びに単一の給電されたデバイス１０８が図１に描写されているが、これもまた一例に過ぎない。理解されるように、複数のバッテリ（又は複数のエネルギー貯蔵デバイス）が、給電されたデバイス１０８等のデバイスに給電してもよい。したがって、ユーザコンピューティングデバイス１０２及び／又はリモートコンピューティングデバイス１０４は、複数の異なるデバイスに給電する、及び／又は現在はデバイスと関連付けられていない、複数の異なるバッテリと通信するように構成されてもよい。
【００１８】
図２は、本明細書において開示される実施形態に従う、バッテリ特性を遠隔決定するために利用され得るユーザコンピューティングデバイス１０２を描写する。図示される実施形態において、ユーザコンピューティングデバイス１０２は、プロセッサ２３０、入力／出力ハードウェア２３２、ネットワークインターフェースハードウェア２３４、データ記憶コンポーネント２３６（バッテリデータ２３８ａ及びデバイスデータ２３８ｂを記憶する）、並びにメモリコンポーネント１４０を含む。メモリコンポーネント１４０は、ハードウェアを含み、揮発性及び／又は不揮発性メモリとして構成されてもよく、例えば、ランダムアクセスメモリ（ＳＲＡＭ、ＤＲＡＭ、及び／若しくは他のタイプのＲＡＭを含む）、フラッシュメモリ、レジスタ、コンパクトディスク（ＣＤ）、デジタル多用途ディスク（ＤＶＤ）、並びに／又は他のタイプの非一時的コンピュータ可読媒体を含んでもよい。特定の実施形態に依存して、非一時的コンピュータ可読媒体は、ユーザコンピューティングデバイス１０２内及び／又はユーザコンピューティングデバイス１０２の外部に存在してもよい。
【００１９】
さらに、メモリコンポーネント１４０は、動作論理２４２、データ捕捉論理１４４ａ、及びインターフェース論理１４４ｂを記憶するように構成されてもよく、これらの各々は、例として、コンピュータプログラム、ファームウェア、及び／又はハードウェアとして具現化されてもよい。ローカル通信インターフェース２４６もまた、図２に含まれ、ユーザコンピューティングデバイス１０２のコンポーネント間の通信を促進するように、バス又は他のインターフェースとして実装されてもよい。
【００２０】
プロセッサ２３０は、命令を受信及び遂行するように（データ記憶現在は２３６及び／又はメモリコンポーネント１４０から等）動作可能な任意のハードウェア処理現在はを含んでもよい。入力／出力ハードウェア２３２は、モニタ、キーボード、マウス、プリンタ、カメラ、マイクロホン、スピーカー、並びに／又はデータを受信、送信、及び／若しくは提示するための他のデバイスを含み、及び／又はこれらと相互作用するように構成されてもよい。ネットワークインターフェースハードウェア２３４は、任意の有線又は無線ネットワーキングハードウェア、衛星、アンテナ、モデム、ＬＡＮポート、ワイヤレスフィディリティ（Ｗｉ−Ｆｉ）カード、ＲＦＩＤ受信器、Ｂｌｕｅｔｏｏｔｈ受信器、画像認識器（他の無線データ通信媒体の代わりに、バッテリ及び／若しくはバッテリに関連する他のデータを認識するため）、バーコード読取器、ＷｉＭａｘカード、モバイル通信ハードウェア、並びに／又は他のネットワーク及び／若しくはデバイスと通信するための他のハードウェアを含んでもよい、及び／又はそれらと通信するために構成されてもよい。このつながりから、通信は、ユーザコンピューティングデバイス１０２、バッテリ１０６、給電されたデバイス１０８、リモートコンピューティングデバイス１０４、及び／又は他のコンピューティングデバイス間で促進され得る。
【００２１】
データ記憶コンポーネント２３６は、ユーザコンピューティングデバイス１０２からローカル及び／又はリモートに存在してもよく、ユーザコンピューティングデバイス１０２及び／又は他のコンポーネントによるアクセスのための１つ以上のデータ片を記憶するように構成されてもよいことを理解されたい。いくつかの実施形態において、データ記憶コンポーネント２３６は、ユーザコンピューティングデバイス１０２から遠隔に位置し、このため、ネットワーク１００を介してアクセス可能であり得る。しかしながら、いくつかの実施形態において、データ記憶コンポーネント２３６は、単に周辺デバイスであり、ユーザコンピューティングデバイス１０２の外部にあってもよい。
【００２２】
メモリコンポーネント１４０には、動作論理２４２、データ捕捉論理１４４ａ、及びインターフェース論理１４４ｂが含まれる。操作論理２４２は、ユーザコンピュータデバイス１０２のコンポーネントを管理するためのオペレーティングシステム、及び／又は他のソフトウェアを含んでもよい。同様に、データ捕捉論理１４４ａは、ユーザコンピューティングデバイス１０２に、バッテリ１０６及び／又は給電されたデバイス１０８からの通信を検出及び受信させるように構成されてもよい。インターフェース論理１４４ｂは、ユーザコンピューティングデバイス１０２に、受信されたデータから決定を行うこと、並びにユーザインターフェースを提供すること、リモートコンピューティングデバイス１０４と通信すること、及び／又は以下で述べられるような他の動作を実行することを行わせることができる。
【００２３】
図２に図示されるコンポーネントは、例示に過ぎず、本開示の範囲を制限することを意図しないことを理解されたい。図２のコンポーネントは、ユーザコンピュータデバイス１０２内部に位置するものとして図示されるが、これは一例に過ぎない。いくつかの実施形態において、コンポーネントのうちの１つ以上は、ユーザコンピューティングデバイス１０２の外部に存在してもよい。
【００２４】
図３は、本明細書において開示される実施形態に従う、バッテリ及び／又は給電されたデバイスを検索するためのユーザインターフェース３３０を描写する。図示されるように、ユーザコンピューティングデバイス１０２は、ユーザインターフェース３３０（及び／又は本明細書において説明される他のユーザインターフェース）を提供することができる。具体的に、ユーザインターフェース３３０は、携帯電話又は他のデバイスのためにダウンロードされるもの等のソフトウェアアプリケーションの一部として提供されてもよい。一度、ソフトウェアアプリケーションが立ち上げられると（ユーザ入力及び／又は読み取り可能なバッテリ若しくは給電されたデバイスの検出によって引き起こされ得る）、ユーザインターフェース３３０は、ユーザコンピューティングデバイス１０２の近くでバッテリを検索するために提供されてもよい。
【００２５】
上で述べられるように、バッテリ１０６及び／又は給電されたデバイス１０８は、ＲＦＩＤタグ、Ｗｉ−Ｆｉ伝送器など等の無線通信機構を含んでもよい。したがって、ユーザコンピューティングデバイス１０２は、どのバッテリがユーザコンピューティングデバイス１０２の範囲内にあるかを検出することができる。同様に、いくつかの実施形態は、バッテリが、ローカルネットワークに通信的に連結されるルータ又は他のブリッジングデバイス等のデバイスと通信するように構成されてもよい。このデバイスは、ユーザコンピューティングデバイス１０２が、バッテリ及び／又は他のデバイスと直接通信するための範囲内にないときでさえ、ユーザコンピューティングデバイス１０２に、バッテリ及び／又はデバイスを監視する能力を与えるように、ユーザコンピューティングデバイス１０２とさらに通信することができる。かかる実施形態は、ユーザが買い物をしており、どのバッテリが交換を必要とするかを思い出せない場合等、有用に機能することができる。
【００２６】
また、ユーザインターフェース３３０には、デバイス検索オプション３３２等のユーザオプションが含まれる。デバイス検索オプション３３２は、バッテリの代わりに、給電されたデバイスを位置決定するためのユーザコンピューティングデバイス１０２のための機能を起動させることができる。上で説明されるように、ある特定の給電されたデバイスは、ユーザコンピューティングデバイス１０２とバッテリ特性を通信する能力が具備されてもよい。
【００２７】
図４は、本明細書において開示される実施形態に従う、位置決定されたバッテリを提供するためのユーザインターフェース４３０を描写する。ユーザコンピューティングデバイス１０２が１つ以上のバッテリを検出することに応答して、ユーザインターフェース４３０が提供されてもよい。図示されるように、ユーザインターフェース４３０は、位置決定されたバッテリのバッテリオプション４３２ａ〜４３２ｆ（「バッテリオプション４３２」と総称される）等のユーザオプション、並びにバッテリに関する追加の情報を提供することができる。かかる追加の情報は、バッテリタイプ、給電されたデバイスタイプ、物理的位置、及び／又は他の情報を含んでもよい。バッテリオプション４３２のうちの１つ以上の選択に応答して、追加の詳細が提供されてもよい。また、デバイスオプション４３４も含まれる。デバイスオプション４３４の選択に応答して、位置決定された給電されたデバイスのリストが提供されてもよい。
【００２８】
図５は、本明細書において開示される実施形態に従う、デバイスに給電するバッテリのバッテリレベルを提供するためのユーザインターフェース５３０を描写する。図４からのバッテリオプション４３２ａの選択に応答して、ユーザインターフェース５３０が提供されてもよい。具体的に、ユーザインターフェース５３０は、バッテリ状態インジケータ５３２ａ、５３２ｂ、及び５３２ｃを含み、これは、リモートコントロール内のバッテリを交換するべきかどうかのグラフ表示を提供する。バッテリ状態インジケータ５３２ａは、バッテリが良好な状態にあることを表す。バッテリ状態インジケータ５３２ｂは、バッテリが警告状態にあることを表す。バッテリインジケータ５３２ｃは、バッテリが交換状態にあることを表す。一例として、バッテリ状態インジケータ５３２ａは、１００％〜６７％の充電の残りを有するバッテリを表すことができる。バッテリ状態インジケータ５３２ｂは、６７％〜３３％の充電の残りを有するバッテリを表すことができる。バッテリインジケータ５３２ｃは、３３％〜０％の充電の残りを有するバッテリを表すことができる。
【００２９】
また、ユーザインターフェース５３０には、個々のバッテリステータス５３４も提供される。具体的に、特定の給電されたデバイス（図５に描写されるリモートコントロール等）は、複数のバッテリを利用することができる。したがって、それらのバッテリの全ては、給電されたデバイスを動作させるように、ある特定の充電レベルを有する必要があり得る。しかしながら、これは、バッテリの全てを交換する必要があることを必ずしも意味しない。具体的に、バッテリのうちの１つが、給電されたデバイス１０８に給電する他のバッテリに対して、不良な状態にある場合、個々のバッテリステータス５３４は、この情報を提供することができる。
【００３０】
また、全て表示オプション５３６及び推奨オプション５３８も含まれる。全て表示オプション５３６の選択に応答して、給電されたデバイス内のバッテリの全てに関連する情報を提供することができる。推奨オプション５３８の選択に応答して、バッテリを交換するための推奨を提供することができる。
【００３１】
図６は、本明細書において開示される実施形態に従う、給電されたデバイス１０８に給電する特定のバッテリに対するバッテリレベルを提供するためのユーザインターフェース６３０を描写する。図５からの個々のバッテリステータス５３４のうちの１つの選択に応答して、ユーザインターフェース６３０を提供することができる。図示されるように、ユーザインターフェース６３０は、バッテリを含むグラフ表示６３２、及びバッテリ特性の表示を含む。また、テキストの残り充電インジケータ６３４ａ、及び交換インジケータ６３４ｂまでの時間も含まれる。ユーザインターフェース６３０はまた、バッテリタイプ、並びにその現在の状態におけるバッテリに対する別の使用を識別することができる。バッテリタイプを識別することは、認証された及び／又は偽造されたブランド付きのバッテリを決定して、使用中に配置されるバッテリの信頼性を決定するために、利用されてもよい。さらに、識別は、バッテリのユーザの適切な維持を監視し、認めるために利用されてもよい。例として、識別子は、いつ（及び／又はどこで）バッテリを再利用するべきかを示すように、本明細書において説明される論理と連結されてもよい。消費者の再利用の習慣は、記録されてもよく、ユーザには、クーポン、クレジット、又は再利用のための他の報奨が提供されてもよい。
【００３２】
具体的に、バッテリが、現在、大量の電力を消費する給電されたデバイス（カメラ等）において使用されている場合、バッテリは、消耗されたと見なされ得る。しかしながら、バッテリは、より少ない電力を消費する異なる給電されたデバイス（時計等）での使用が可能であり得る。したがって、ユーザコンピューティングデバイス１０２は、検出された給電されたデバイスのバッテリ使用を決定し、バッテリのための代替的な使用を推奨することができる。代替的な使用が利用可能ではない場合、ユーザコンピューティングデバイス１０２は、バッテリを放電又は再充電することを推奨することができる。したがって、推奨オプション６３６もまた、図６に提供される。推奨オプション６３６の選択に応答して、バッテリのための他の推奨が提供されてもよい。
【００３３】
ユーザコンピューティングデバイス１０２は、バッテリのうちの１つ以上の消耗速度を決定するように構成されてもよいことを理解されたい。一例として、いくつかの実施形態は、給電されたデバイス１０８及び／又はバッテリ１０６が、消耗速度を決定し、この情報をユーザコンピューティングデバイス１０２に送信するように構成されるように、構成されてもよい。別の例として、いくつかの実施形態は、給電されたデバイス１０８が、デバイスタイプをユーザコンピューティングデバイス１０２に通信するように構成されるように、構成されてもよい。ユーザコンピューティングデバイス１０２は、消耗速度を決定するように、ユーザコンピューティングデバイス１０２のメモリ内に記憶される放電モデルと併せて、デバイスタイプを使用してもよい。別の例として、いくつかの実施形態は、ユーザコンピューティングデバイス１０２が、そのメモリ内にデバイスルックアップテーブルを含むように、構成されてもよい。ユーザは、ルックアップテーブルから給電されたデバイス１０８を選択し、選択されたデバイスをユーザコンピューティングデバイス１０２に入力してもよい。ユーザコンピューティングデバイス１０２は、消耗速度を決定するように、ユーザコンピューティングデバイス１０２のメモリ内に記憶される放電モデルと併せて、ユーザが入力するデバイスタイプを使用してもよい。別の例として、ユーザコンピューティングデバイス１０２は、画像認識能力を含んでもよい。ユーザは、ユーザコンピューティングデバイス１０２を用いて、給電されたデバイス１０８の写真を撮ってもよい。ユーザコンピューティングデバイス１０２は、消耗速度を決定するように、ユーザコンピューティングデバイス１０２のメモリ内に記憶される放電モデルと併せて、デバイスタイプを使用してもよい。同様に、いくつかの実施形態は、バッテリ（及び／又は給電されたデバイス）が、単に、ユーザコンピューティングデバイス１０２に、現在の充電レベルを識別する第１の無線信号を送信するように、構成される。バッテリ（及び／又は給電されたデバイス）は、その時の充電レベルを識別する、第２の時間における第２の無線信号を送信してもよい。この情報から、ユーザコンピューティングデバイス１０２は、バッテリ１０６の消耗速度を決定してもよい。さらに、ユーザコンピューティングデバイス１０２は、バッテリ１０６のバッテリ特性に影響する外部条件を識別してもよい。一例として、温度、湿度、及び／又は他の要因は、バッテリの消耗速度及び／又は他の特性に影響し得る。したがって、ユーザコンピューティングデバイス１０２は、これらの外部条件のうちの１つ以上を考慮して、バッテリの現在の消耗速度を決定することができる。消耗速度はまた、ユーザコンピューティングデバイス１０２によってグラフで表示されてもよい。例えば、電圧対時間のｘ−ｙグラフは、バッテリ１０６、及び／又は給電されたデバイス１０８内のバッテリ１１０の消耗速度を消費者に示すように、ユーザコンピューティングデバイス１０２によって表示されてもよい。
【００３４】
図７は、本明細書において開示される実施形態に従う、バッテリ交換戦略を推奨するためのユーザインターフェース７３０を描写する。図５からの推奨オプション５３８及び／又は図６からの推奨オプション６３６の選択に応答して、ユーザインターフェース７３０が提供されてもよい。図示されるように、ユーザインターフェース７３０は、交換バッテリとして利用され得るバッテリの物理的位置を含む。具体的に、ユーザコンピューティングデバイス１０２は、部分的に使用された又は未使用のバッテリ（若しくは他の未使用のエネルギー貯蔵デバイス）が利用可能であり、所定の範囲内（ユーザの自宅内等）であるかどうかを決定してもよい。示されるように、バッテリは、現在未使用のバッテリ、現在使用中ではない、部分的に使用されたバッテリ、及び／又は現在使用中である、部分的に使用されたバッテリ（それらの現在の給電されたデバイスのために消耗されているもの等）であり得る。さらに、ユーザインターフェース７３０は、未使用オプション７３２、部分的に使用されたオプション７３４、及び購入オプション７３６を含む。
【００３５】
未使用オプション７３２の選択に応答して、ユーザは、ユーザコンピューティングデバイス１０２に、交換バッテリが、ユーザインターフェース７３０において推奨される、未使用のバッテリとなるであろうことを示している。部分的に使用されたオプション７３４の選択は、部分的に使用されたバッテリが使用されるであろうことを示す。購入オプション７３６の選択は、別のユーザインターフェースを開き、及び／又はそうでなければ交換バッテリの購入を促進する（若しくはどこで購入すべきかをユーザに指示する）。
【００３６】
具体的に、いくつかの実施形態は、バッテリが所定の充電レベルまで消耗し得る予想時刻に関する予測を行うように構成されてもよい。ユーザコンピューティングデバイス１０２は、この予測時刻が所定の時間フレーム内（例えば、２日以内）であるかどうかをさらに決定してもよい。したがって、実施形態は、予想時刻が所定の時間フレーム内であるという決定に応答して、交換バッテリの、例えば、オンライン又は店内購入を促進するように構成されてもよい。ユーザコンピューティングデバイス１０２は、交換バッテリを購入するために、最も近い小売店を消費者に指示するためのグローバルポジショニングシステム（ＧＰＳ）能力を含んでもよい。ユーザコンピューティングデバイス１０２は、ユーザが、どの小売店で交換バッテリを購入するかに関して、情報を得た上での決断を下すことを可能にするように、小売店の在庫及び／又は費用データベースに接続してもよい。ユーザコンピューティングデバイス１０２はまた、消耗したバッテリの廃棄方法又は再利用方法を推奨してもよい。
【００３７】
同様に、いくつかの実施形態は、バッテリが小売店に入ったかどうかを決定するように構成されてもよい。そうである場合、ユーザコンピューティングデバイス１０２には、そのバッテリを交換するためのクーポン又は割引が提供されてもよい（その訪問中等）。追加の割引及び／又はデジタルマーケティングが、ピックリスト、誘導質問、ユーザプロフィール情報、及び／又はユーザに関する他の情報に基づいて、ユーザに提供されてもよい。
【００３８】
図８は、本明細書において開示される実施形態に従う、交換バッテリがデバイスの中に挿入されたことを識別するためのユーザインターフェース８３０を描写する。図７からの未使用オプション７３２の選択に応答して、ユーザインターフェース８３０が提供されてもよい。図示されるように、ユーザインターフェース８３０は、選択されたバッテリの記載、並びに挿入オプション８３２、戻るオプション８３４、及びデバイスオプション８３６を含む。一度、ユーザが交換バッテリを給電されたデバイスの中へ挿入すると、ユーザは、挿入オプション８３２を選択することができ、そのため、ユーザコンピューティングデバイス１０２は、この新しい使用に関するデータの取得を開始することができる。戻るオプション８３４の選択は、使用されるであろうバッテリを再選択するように、ユーザを図７のユーザインターフェース７３０に戻す。デバイスオプション８３６の選択は、ユーザが他の検出された給電されたデバイスを表示することを可能にする。
【００３９】
ユーザは、図７及び８に関して述べられるユーザ入力を手動で提供してもよいが、これは、一例に過ぎないことが理解されるであろう。具体的に、いくつかの実施形態は、給電されたデバイスの中へ挿入されるバッテリを自動で検出するように構成されてもよい。かかる実施形態において、ユーザは、挿入されるであろうバッテリを選択し、又は給電されたデバイスの中へいつバッテリが挿入されるかを示す必要はない。
【００４０】
図９は、本明細書で開示される実施形態に従う、位置決定されたバッテリで動作するデバイスを提供するためのユーザインターフェース９３０を描写する。図３からのデバイス検索オプション３３２及び／又は図４からのデバイスオプション４３４の選択に応答して、ユーザインターフェース９３０が提供されてもよい。上で述べられるように、ユーザコンピューティングデバイス１０２は、バッテリ及び／又は給電されたデバイスを検索してもよい。したがって、ユーザインターフェース９３０は、デバイスオプション９３２ａ〜９３２ｇを提供してもよい。デバイスオプション９３２ａ〜９３２ｇのうちの１つの選択に応答して、給電されたデバイス及び／又は給電されたデバイスに給電するバッテリに関する追加の情報が提供されてもよい。一例として、ユーザコンピューティングデバイス１０２は、バッテリが所定の充電レベルまで消耗する時間フレームを予測してもよい。この情報は、ユーザインターフェース９３０において提供されてもよい。また、ユーザインターフェース９３０には、デバイス追加オプション９３４も含まれる。デバイス追加オプション９３４は、以下でより詳細に説明されるように、ユーザに、さもなければ検出されていない可能性があるデバイスを手動で追加する能力を提供する。ユーザコンピューティングデバイス１０２は、画像認識能力を含んでもよい。ユーザは、ユーザコンピューティングデバイス１０２を用いて、給電されたデバイスの写真を撮ってもよい。給電されたデバイスの写真又は他の画像は、給電されたデバイスと関連付けられてもよい。給電されたデバイスの写真又は他の画像は、ユーザインターフェース９３０において提供されてもよい。
【００４１】
図１０は、本明細書において開示される実施形態に従う、監視するためのデバイスを追加するためのユーザインターフェース１０３０を描写する。図９からのデバイス追加オプション９３４の選択に応答して、ユーザインターフェース１０３０が提供されてもよい。図示されるように、ユーザインターフェース１０３０は、デバイス名オプション１０３２、デバイスタイプオプション１０３４、デバイスブランドオプション１０３６、及びバッテリタイプオプション１０３８を含んでもよい。デバイス名オプション１０３２の選択に応答して、ユーザは、新しいデバイスに対するデバイス名を入力してもよい。デバイスタイプオプション１０３４の選択に応答して、ユーザは、デバイスタイプを入力してもよい。デバイスブランドオプション１０３６の選択に応答して、ユーザは、デバイスのブランド、モデル番号、及び／又は他の同様のデータを入力してもよい。バッテリタイプオプション１０３８の選択に応答して、ユーザは、給電されたデバイスが受信するバッテリのサイズ及び／又は他の同様のデータを入力してもよい。ユーザコンピューティングデバイス１０２は、画像認識能力を含んでもよい。ユーザは、ユーザコンピューティングデバイス１０２を用いて、デバイスの写真を撮ってもよい。デバイスの写真又は他の画像は、給電されたデバイスと関連付けられてもよい。給電されたデバイスの写真又は他の画像は、ユーザインターフェース１０３０において提供されてもよい。
【００４２】
図１１は、バッテリ特性を遠隔決定するために利用され得るプロセスを図示するフローチャートを描写する。ブロック１１５０に図示されるように、検索は、エネルギー貯蔵デバイスを識別する第１の無線信号（着信無線信号）に対して実行されてもよい。ブロック１１５２において、第１の無線信号を受信することに応答して、エネルギー貯蔵デバイスの特性が決定されてもよい。ブロック１１５４において、第２の無線信号は、エネルギー貯蔵デバイスから受信されてもよい。ブロック１１５６において、決定は、エネルギー貯蔵デバイスの特性が所定の閾値に到達にするかどうか、第２の電気信号から行われてもよい。この決定は、バッテリ充電が、所定の閾値を超えて消耗されるかどうかを決定することを含んでもよい。他の例は、どこでインピーダンスが所定の閾値を超えて変化するか、バッテリ充電が所定の閾値を超える速度で消耗するかどうか等の状況を含む。ブロック１１５８において、エネルギー貯蔵デバイスの特性が所定の閾値に到達するという決定に応答して、特性を示す警告が送信されてもよい。
【００４３】
本明細書で開示される寸法及び値は、記載された正確な数値に厳密に限定されるものと理解されるべきではない。むしろ、別途明記がない限り、各かかる寸法は、列挙された値及びその値周辺の機能的に同等の範囲の両方を意味するものとする。例えば、「４０ｍｍ」として開示される寸法は、「約４０ｍｍ」を意味するものである。
【００４４】
いずれの相互参照されるか又は関連する特許、又は及び本出願が優先権若しくはその利益を主張するいずれの特許出願又は特許も含む、本明細書に引用される全ての文書は、明示的に除外すること又は限定することを明言しない限り、その全容にわたって本明細書に組み込まれる。いかなる文献の引用も、それが本明細書において開示されているか若しくは特許請求の範囲に記載されているいずれかの発明に関する先行技術であることを認めるものではなく、あるいはそれが単独で又はいかなる他の参考文献（単数若しくは複数）とのいかなる組み合わせにおいても、いかなるかかる発明も教示する、提唱する、又は開示することを認めるものではない。さらに、本文書における用語の任意の意味又は定義が、参照により組み込まれた文献中の同一の用語の任意の意味又は定義と矛盾する場合には、本文書でその用語に割り当てられる意味又は定義に準拠するものとする。
【００４５】
本発明の特定の実施形態が例示及び説明されてきたが、本発明の趣旨及び範囲から逸脱することなく種々の他の変更及び修正を行い得ることが、当業者には明らかであろう。したがって、本発明の範囲内に含まれる全てのかかる変更及び修正は、添付の特許請求の範囲にて網羅することが意図される。
【図１】
2016532853.tif 000003
【図２】
2016532853.tif 000004
【図３】
2016532853.tif 000005
【図４】
2016532853.tif 000006
【図５】
2016532853.tif 000007
【図６】
2016532853.tif 000008
【図７】
2016532853.tif 000009
【図８】
2016532853.tif 000010
【図９】
2016532853.tif 000011
【図１０】
2016532853.tif 000012
【図１１】
2016532853.tif 000013
【国際調査報告】
2016532853.tif 000014
2016532853.tif 000015